(57)【要約】  【課題】  光ピックアップ製造のコストダウンを図ることにある。  【解決手段】  アクトベース２０の基台１０に臨む底面と基台１０の表面との間に、アクトベース２０の底面側が凸、基台の表面側が凹の関係の球面接触形状１２、３が形成されており、かつ、アクトベース２０側から基台１０の表面に対して前記球面接触している平面領域の外側に、三つのねじ留め箇所が設けられており、その内の一箇所のねじ１３にコイルバネ１６が挿通さている構成に代えて、そのコイルバネ１６が挿通されたねじ１３を廃し、コイルバネ１６を挿通した棒体１７を有した支柱１８を基台１０側に立設する構成とする。光ディスクに対するアクトベース２０の傾き調整は、従来と同じく、一点鎖線の位置の二つのねじ留め箇所のねじの締め具合を調整して行う。【選択図】      図１
2006172549.tif 000002
【特許請求の範囲】
【請求項１】
光源からの出射光を対物レンズ側に平行光にして照射するコリメータレンズと、対物レ
ンズと、その対物レンズのホルダを擁し、基台の上に搭載されるアクトベースの前記基台
に臨む底面と基台の表面のそれぞれに、互いに球面接触する形状が形成されていて、アク
トベースが基台に対して揺動自在になっているとともに、アクトベース側から基台の表面
に対して前記球面接触している平面領域の外側に三つのねじ留め箇所が設けられており、
その三つのねじ留め箇所の内、一箇所のねじにコイルバネが挿通されていて、他の二つの
ねじ留め箇所のねじの締め具合の調整によって光ディスクに対する傾きを調整するように
なっている光ピックアップにおいて、
前記コイルバネが挿通されたねじに代えて、棒体が垂下された支柱を基台に立設し、そ
の棒体にコイルバネを挿通した構成に置き換えたことを特徴とする光ピックアップのアク
トベースの傾き調整機構。
【請求項２】
請求項１に記載のアクトベースの傾き調整機構を備えた光ピックアップ。
【請求項３】
請求項２に記載の光ピックアップを備えた光ディスク装置。
【発明の詳細な説明】
【技術分野】
【０００１】
この発明は、光ディスクに対してデジタル情報の記録や再生を行う光ディスク装置に搭
載されている光ピックアップの光ディスクに対する傾き調整機構の改良に関する。
【背景技術】
【０００２】
光ディスク装置は、それに搭載された光ピックアップの光源からレーザ光を光媒体のデ
ィスク(以下、光ディスクという)の板面に照射して、その反射光を受光素子で受け取って
、信号を再生する。その光ディスクの板面は円周方向に沿って情報ビットたる凹部が形成
された信号面になっており、光が、その信号面の凹部に照射されたときと、それ以外の部
分に照射されたときとでは、反射光の強さが異なる。このことにより、０と１からなるデ
ジタル信号が再生される。
【０００３】
このような光ディスクは映像信号の場合、音声信号に比べて信号密度が格段に高く、そ
れは、言い換えると、光ディスクの半径方向のビット(凹部)の間隔が狭いということであ
る。従って、そのような高密度の記録を正確に再生するためにはレーザ光のビーム径を小
さくする必要がある。
【０００４】
このビーム径は、レーザ光の波長に比例し、光ピックアップ内の対物レンズの開口数に
反比例する。従って、ビーム径を小さくするために対物レンズの開口数を大きく設定する
と、光ディスクの信号面に対してレーザ光が僅かに傾いても、小径のビーム径では狭い間
隔で形成されている凹部の誤った位置に光を照射して、信号を正しく再生できないおそれ
がある。
【０００５】
そこで、この光ピックアップ(以下、簡単にピックアップともいう)が搭載されている光
ディスク装置に、そのピックアップの傾き調整機構を設けて、光ディスク装置の組み立て
工程において、ピックアップの傾きを微調整することが行われている。
【０００６】
この傾きの調整は、光源からの出射光を対物レンズ側に平行光にして照射するコリメー
タレンズと、対物レンズと、その対物レンズのホルダや、そのホルダをフォーカス方向と
トラッキング方向に移動させる電磁駆動機構が搭載されるアクトベースを、それが固定さ
れる基台に対する傾きを調整することによって行われる。その一例が下記の公知文献(特
許文献１)に開示されている。
【０００７】
しかしながら、前記公知文献のピックアップの傾き調整機構(以下、簡単に「傾き調整
機構」ともいう)は複雑な構成を有しており、本発明者は簡単な構成の傾き調整機構を発
案した。それはフナイ販売（株）のＤＶＤ−Ｆ７００Ｓ、ＶＤ−Ｆ１０００、ＶＤＹＷ２
ＦＮ等のモデルに搭載されているものであって、図２はその傾き調整機構を有するピック
アップの基台１０とアクトベース２０を組み合わせた状態を斜視図で示したものである。
【０００８】
このアクトベース２０上には、先述したように、コリメータレンズ、対物レンズ、その
対物レンズのホルダおよびその対物レンズホルダをフォーカス方向とトラッキング方向に
移動させるための電磁駆動機構として磁石、コイル、ヨーク等の電磁回路の構成部品が搭
載され、また、基台１０の符号１で指示した位置に発光ダイオード等の光源が取り付けら
れるが、これらは、本発明とそれに関わる以下の従来例を説明するための必須の構成部品
ではなく、図の煩雑さを避けるため図示していない。
【０００９】
この傾き調整機構は、先ず、アクトベース２０の底面の基台１０に臨む側の面と、基台
１０の表面の間に球面接触する形状を設けている。そのことを図３と図４を参照して説明
する。図３は、アクトベース２０の二次元三面図であり、（ａ）が底面図、（ｂ）が平面
図、（ｃ）が正面図である。
【００１０】
先ず、図３（ａ）の底面図に示したように、光源からの光の通路となる真円の開口１１
の外側近傍に、その開口円１１と同心円上の三等分の位置に、表面が凸の曲面で水平断面
が勾玉（まがたま）状の突条１２が形成されている。
【００１１】
他方、図４は基台１０の表面を示した平面図であり、図に示すように、この基台１０に
も、そこに前記アクトベース２０を固定した際に、アクトベース２０上の光の通路となる
開口円１１に対応する位置に開口円２が設けられている。そして、その開口円２の外側の
同心円上の三等分の位置に、表面が曲面の突条３が形成されている。
【００１２】
この突条３は平面図である図４では扇形をなしているが、立体的には、各扇型の大きい
円弧から小さい円弧に向かって、所定の曲線に沿って低くなって行く凹の曲面を成してい
る。従って、その基台１０の三つの凹の突条３の上に前記アクトベース２０の底面の三つ
の凸の突条１２を対応させる形で、基台１０の上にアクトベース２０を載置すると、それ
らの凹と凸の突条３、１２は互いに球面接触し、アクトベース２０は基台１０に対して揺
動自在となるようになっている。
【００１３】
そして、上記アクトベース２０と基台１０とは、図２で示したように、符号１３を付し
たねじと、図示はしないが、図の二箇所の一点鎖線の位置で、基台１０の底面側から挿通
される二本のねじとで、ねじ締めして固定するようになっている。その符号１３を付した
ねじにはコイルバネ１６が挿通されている。以上がこのアクトベース２０と基台１０周り
のアクトベース２０の傾き調整機構の構成である。次に、この構成におけるアクトベース
２０の傾きの調整方法について説明する。
【００１４】
先ず、前記したように、アクトベース２０を基台１０の上に載置すると、両者の間の球
面接触構造によって、アクトベース２０が基台１０に対して揺動自在の状態に置かれるが
、光ピックアップの製造工程では、最初、基台１０に対する（光ディスクに対する）アク
トベース２０の最適な「傾き」量が決定されるまでは、コイルバネ１６を挿通したねじ１
３以外の残り二箇所のねじを本締めではなく、仮留めの状態にしておく。
【００１５】
そうすると、コイルバネ１６が挿通されたねじ１３の位置では、そのコイルバネ１６に
よってアクトベース２０が基台１０側に付勢されるが、アクトベース２０は基台１０に対
して球面接触しているので、本締めをしていない前記二箇所のねじの位置では、てこの作
用によって上方に持ち上げられるような形になる。そして、その持ち上げられた部分をせ
き止めるのがその位置の基台にねじ込まれたねじである。
【００１６】
こうして、アクトベース２０は、ねじ留めされる三箇所の地点を結ぶ三角形の面が、そ
の面内のコイルバネ１６が挿通されたねじ１３の位置を通る直線の回りに回転可能な自由
度を有したものになる。この自由度の範囲内でアクトベース２０を揺動させてその傾きが
所定の最適の傾きになったところで、コイルバネ１６が挿通されていない二箇所のねじを
本締めして、アクトベース２０の傾き姿勢を決定するのである。
【特許文献１】特開２００１−５２３４５号公報（第３図）
【発明の開示】
【発明が解決しようとする課題】
【００１７】
ところで、近年、ＣＤプレイヤやＤＶＤレコーダ等の上記光ディスク装置の普及に伴い
、価格競争も激しくなって、光ディスク装置のメーカーは僅かでもコストダウンを図るよ
う凌ぎを削っている
そこで、本発明は、光ディスク装置についてのコストダウンを図ることを目的とし、上
記した光ディスク装置に組み込まれる光ピックアップについて、その構成の複雑さ故、削
減対象となる部品の存在が無いか否かを検討したのである。
【課題を解決するための手段】
【００１８】
上記目的を達成するために本発明は、光源からの出射光を対物レンズ側に平行光にして
照射するコリメータレンズと、対物レンズと、その対物レンズのホルダを擁し、基台の上
に搭載されるアクトベースの前記基台に臨む底面と基台の表面のそれぞれに、互いに球面
接触する形状が形成されていて、アクトベースが基台に対して揺動自在になっているとと
もに、アクトベース側から基台の表面に対して前記球面接触している平面領域の外側に三
つのねじ留め箇所が設けられており、その三つのねじ留め箇所の内、一箇所のねじにコイ
ルバネが挿通されていて、他の二つのねじ留め箇所のねじの締め具合の調整によって光デ
ィスクに対する傾きを調整するようになっている光ピックアップにおいて、
前記コイルバネが挿通されたねじに代えて、棒体が垂下された支柱を基台に立設し、そ
の棒体にコイルバネを挿通した構成に置き換えたのである。
【００１９】
このようにすると、ねじを一本削減することができる。
【発明の効果】
【００２０】
本発明は、従来の構成を上記のように置き換えたので、従来に比べてボルトを一本削減
することができる。従って、そのボルトの部品代の削減とともに、そのボルトを取り付け
る作業(ねじ締め作業)を無くすことができ、光ピックアップおよびそれを備えた光ディス
ク装置の組み立て工程の効率化を図ることができ、さらなるコストダウンに繋げることが
できる。
【発明を実施するための最良の形態】
【００２１】
以下、この発明の実施の形態を図面を参照して説明する。従来例と同じ要素については
同じ符号を付して、その説明は省略する。図１は本実施形態のアクトベース２０と基台１
０を組み合わせたものの斜視図であり、前記従来例の場合と同様、図の煩雑さを避けるた
め、本来、アクトベース２０上に搭載される光学系の部品や対物レンズホルダをフォーカ
ス方向とトラッキング方向に電磁駆動するための電磁部品などは一切描いていない。
【００２２】
本実施形態の構成が従来例のものと異なるのは、前出の図２に示したように、アクトベ
ース２０を基台１０に固定している三つのねじ留め箇所の内、コイルバネ１６が挿通され
ていたねじ１３の部分である。
【００２３】
本実施形態では、従来例のそのねじ１３の部分に対し、図１に示すように、そのコイル
バネ１６が挿通されていたねじ１３に代えて、その近傍に、棒体１７を垂下した形状の支
柱１８を立設して、その棒体１７の部分にコイルバネ１６を挿通したのである。他の構成
、すなわち、残り二つののねじ留め箇所の部分やアクトベース２０の底面と基台１０の表
面が球面接触するために両者に突条曲面１２、３が設けられているといった構成は本実施
形態でも同じ構成を採っている。従って、そのような構成におけるアクトベース２０の傾
きの調整方法も従来例の場合と同様である。
【００２４】
以上のような構成にしたので、本実施形態では、従来よりねじを一本減らすことができ
、その分の部品代の削減と、ピックアップ組み立て時のそのねじのねじ締め作業が無くな
った分の作業効率の向上を図ることができる。作業効率の向上は、さらなるコストダウン
に繋がることになる。
【産業上の利用可能性】
【００２５】
この発明は光ピックアップとそれを備えた光ディスク装置一般に広く適用することがで
きる。
【図面の簡単な説明】
【００２６】
【図１】は、本実施形態の要部のみを示した斜視図であり、（ａ）にアクチュエータと基板をねじで組み付ける前の状態を示し、（ｂ）に組み付け後の状態を示したものである。
【図２】は、従来例の要部のみを示した斜視図であり、（ａ）にアクチュエータと基板をねじで組み付ける前の状態を示し、（ｂ）に組み付け後の状態を示したものである。
【図３】は、（ａ）に従来例のアクチュエータを平面図で示し、（ｂ）に底面図を示し、（ｃ）に背面図で示したものである。
【図４】は、ピックアップの基台の表面を示した平面図である。
【符号の説明】
【００２７】
１０    基台
３、１２    突条
１３    ねじ
１６    コイルバネ
１７    棒体
１８    支柱
２０    アクトベース
【図１】
2006172549.tif 000003
【図２】
2006172549.tif 000004
【図３】
2006172549.tif 000005
【図４】
2006172549.tif 000006